(57)【要約】【課題】カードが１枚だけ挿入でき、誤挿入を防止可能なマルチメモリーカードコネクタを提供する。【解決手段】可動フック２１は、挿入口１４に配置され、挿入空間１６に対し前進または後退が可能で、復元ユニット１９によって前進状態を維持する。可動隔離板３１は、挿入空間１６を上下の二つの空間に分割し、上下に移動可能である。可動隔離板３１は作用アーム３２を有し、作用アーム３２は誘導斜面３４と作用部３６とを有し、作用部３６は可動フック２１の作動に応じ、係止溝２６に入り込むか、または静止を保持する。二つの端子組は、挿入空間１６に入り込むようにハウジング１１内に配置され、第一端子組４１は下方に位置付けられ、複数の第一端子４２を有し、第二端子組５１は上方に位置付けられ、複数の第二端子５２を有する。第二端子５２の一部分は可動隔離板３１の中空部位３８に位置付けられ、かつ可動隔離板３１の上方に部分的に突出する。【選択図】  図１
2010218762.tif 000002
【特許請求の範囲】
【請求項１】
前端に挿入口を有し、内部に挿入空間を有するハウジングと、
挿入口の一側に位置するようにハウジング内に配置され、かつハウジング内に向かい合う一側に誘導ブロックおよびストッパーを有し、誘導ブロックとストッパーとの間に係止溝を有し、誘導ブロックの前端部に奥向きかつ後向きに徐々に傾斜する作用面を有する少なくとも一つの可動フックであって、挿入空間に対し前進または後退を行い、かつ復元ユニットによって挿入空間に前進する状態を維持することが可能であり、復元ユニットがハウジング内に配置される少なくとも一つの可動フックと、
上下に移動可能なように挿入空間に位置付けられ、挿入空間を上下の二つの空間に分割し、かつ複数の中空部位を有し、かつ可動フックに対応する一側に前向きに延伸される作用アームを有し、作用アームは前向きかつ下向きに延伸される誘導斜面と、作用部とを有し、作用部は可動フックの作動に応じ、係止溝に入り込むか、または静止を保持する可動隔離板と、
挿入空間に入り込むようにハウジング内に配置される少なくとも二つの端子組であって、そのうちの第一端子組は下方に位置付けられ、複数の第一端子を有し、第二端子組は上方に位置付けられ、複数の第二端子を有し、第二端子の一部分は可動隔離板の中空部位に位置付けられ、かつ可動隔離板の上方に部分的に突出する少なくとも二つの端子組と、
を備えることを特徴とするマルチメモリーカードコネクタ。
【請求項２】
第二端子うちの一部分の第二端子は、可動隔離板に嵌め込まれることを特徴とする請求項１に記載のマルチメモリーカードコネクタ。
【請求項３】
ハウジングは、基座および蓋から構成され、蓋は基座に被さり、その間に挿入空間と挿入口が形成されることを特徴とする請求項１に記載のマルチメモリーカードコネクタ。
【請求項４】
復元ユニットは、蓋の側辺に形成され、かつ可動フックに作用する弾性片であることを特徴とする請求項３に記載のカードが１枚だけ挿入でき誤挿入を防止することを可能にするマルチメモリーカードコネクタ。
【請求項５】
第二端子は、端子台に嵌め込まれ、端子台を介してハウジングに配置されることを特徴とする請求項１に記載のカードが１枚だけ挿入でき誤挿入を防止することを可能にするマルチメモリーカードコネクタ。
【請求項６】
さらに、可動隔離板の下方に位置するようにハウジング内の両側に配置され、復元弾力によって可動隔離板を上方位置に支持する二つの補助用スプリングを有することを特徴とする請求項１に記載のカードが１枚だけ挿入でき誤挿入を防止することを可能にするマルチメモリーカードコネクタ。
【請求項７】
可動フックは、細長い形を呈し、一端がハウジングに配置され、誘導ブロックおよびストッパーは可動フックの他端に配置され、作動の際の可動フックは誘導ブロックが配置されない一端を軸に、誘導ブロックを有する一端を旋転させることによって、挿入空間に対し前進または後退を行なうことを特徴とする請求項１に記載のカードが１枚だけ挿入でき誤挿入を防止することを可能にするマルチメモリーカードコネクタ。
【請求項８】
可動フックは、可動隔離板の一側に位置付けられ、復元ユニットの作用によって可動隔離板の作用アームに突き当たることを特徴とする請求項１に記載のカードが１枚だけ挿入でき誤挿入を防止することを可能にするマルチメモリーカードコネクタ。
【請求項９】
別々に挿入口の両側に位置するようにハウジング内に配置される二つの可動フックを備えることを特徴とする請求項１に記載のカードが１枚だけ挿入でき誤挿入を防止することを可能にするマルチメモリーカードコネクタ。
【発明の詳細な説明】
【技術分野】
【０００１】
本発明は、電子メモリーカードの読取に用いるメモリーカードコネクタに関し、特に、カードが１枚だけ挿入でき誤挿入を防止可能なマルチメモリーカードコネクタに関する。
【背景技術】
【０００２】
本出願人が請求した米国特許第ＵＳ７，２６７，５６１号による誤挿入を防止可能な技術は、コネクタの両側に可動ブロックを配置し、内部にストッパーを配置し、可動ブロックによってストッパーの動きを制限するものである。正確な方法でメモリーカードを挿入すれば、メモリーカードの両側は二つの可動ブロックを押し出し、ストッパーのロック状態を解除し、ストッパーは挿入されたメモリーカードによって押し出され、上向きに旋転する。このとき、メモリーカードをスムーズに差し込んで使用することが可能である。不正確な方法でメモリーカードを挿入すれば、二つの可動ブロックを移動させ、ストッパーのロック状態を解除することができないため、メモリーカードはストッパーによって遮断され、入り込むことができない。すなわち、米国特許第ＵＳ７，２６７，５６１号は、二つの可動ブロックによってストッパーを遮断するか、或いはストッパーを解除して後向きに旋転させ、かつＣＦカードの両側が二つの可動ブロックに作用する技術を採用する。
【０００３】
本出願人が請求した米国特許第ＵＳ７，４４８，９１２号によるカードが１枚だけ挿入できるメモリーカードコネクタは、隔離板をコネクタ内部に位置させ、隔離板によってコネクタ内部を上下の二つの空間に分割し、そして異なるメモリーカードを下方または上方に挿入することによって隔離板をそのまま動かさないか後向きかつ下向きに移動させ、そして隔離板の位置によってメモリーカードを挿入した後別のメモリーカードの挿入を阻止することが可能である。
【発明の概要】
【発明が解決しようとする課題】
【０００４】
本発明の主な目的は、カードが１枚だけ挿入でき誤挿入を防止可能なマルチメモリーカードコネクタを提供することである。
【課題を解決するための手段】
【０００５】
上述の目的を達成するために、本発明によるマルチメモリーカードコネクタは、ハウジング、少なくとも一つの可動フック、可動隔離板および少なくとも二つの端子組を備える。
ハウジングは、前端に挿入口を有し、内部に挿入空間を有する。可動フックは、挿入口の一側に位置するようにハウジング内に配置される。可動フックはハウジング内に向かい合う一側に誘導ブロックおよびストッパーを有し、誘導ブロックとストッパーとの間に係止溝を有し、誘導ブロックは前端部に奥向きかつ後向きに徐々に傾斜する作用面を有する。可動フックは挿入空間に対し前進または後退を行うことが可能である。可動フックは、復元ユニットによって挿入空間に前進する状態を維持する。復元ユニットはハウジング内に配置される。可動隔離板は、上下に移動可能なように挿入空間に位置付けられ、挿入空間を上下の二つの空間に分割する。
【０００６】
可動隔離板は可動フックに対応する一側に前向きに延伸される作用アームを有し、作用アームは前向きかつ下向きに延伸される誘導斜面と、作用部とを有し、作用部は可動フックの作動に応じ、係止溝に入り込むか、または静止を保持する。可動隔離板は、複数の中空部位を有する。二つの端子組は、挿入空間に入り込むようにハウジング内に配置され、そのうちの第一端子組は下方に位置付けられ、複数の第一端子を有し、第二端子組は上方に位置付けられ、複数の第二端子を有する。第二端子の一部分は可動隔離板の中空部位に位置付けられ、かつ可動隔離板の上方に部分的に突出する。従って、本発明はカードが１枚だけ挿入できる機能および誤挿入を防止可能な機能を有する。
【図面の簡単な説明】
【０００７】
【図１】本発明の第１実施形態の分解斜視図。
【図２】本発明の第１実施形態においての蓋が外された後の状態を示す模式図。
【図３】本発明の第１実施形態において、挿入されたＳＤカードが可動フックを押し出した状態を示す模式図。
【図４】図３の４−４線に沿った断面図。
【図５】本発明の第１実施形態において、挿入されたＳＤカードが可動隔離板に作用する状態を示す模式図。
【図６】図５の６−６線に沿った断面図。
【図７】本発明の第１実施形態においてＳＤカードが完全に挿入された状態を示す模式図。
【図８】図７の８−８線に沿った断面図。
【図９】本発明の第１実施形態においてＳＤカードが挿入された後、ＭＳ−Ｄｕｏカードが挿入できなくなる状態を示す模式図。
【図１０】本発明の第１実施形態において、ＭＳ−Ｄｕｏカードを挿入する状態を示す模式図。
【図１１】図１０の１１−１１線に沿った断面図。
【図１２】本発明の第１実施形態において、ＭＳ−Ｄｕｏカードが挿入された後、ＳＤカードが挿入できなくなる状態を示す模式図。
【図１３】本発明の第１実施形態において、ＭＳ−Ｄｕｏカードを誤って挿入した状態を示す模式図。
【図１４】図１３の１４−１４線に沿った断面図。
【図１５】本発明の第１実施形態において別のＭＳ−Ｄｕｏカードを誤って挿入した状態を示す模式図。
【図１６】本発明の第２実施形態の組立後の状態を示す模式図。
【発明を実施するための最良の形態】
【０００８】
以下、本発明の実施形態を図面に基づいて説明する。
（第１実施形態）
図１から図４に示すように、本発明の第１実施形態によるマルチメモリーカードコネクタ１０は、ハウジング１１、二つの可動フック２１、可動隔離板３１および少なくとも二つの端子組４１、５１を備える。
ハウジング１１は、基座１２および蓋１８から構成される。蓋１８は基座１２に被さり、前端に挿入口１４を有し、内部に挿入空間１６を有する。
【０００９】
二つの可動フック２１は、細長い形を呈し、一端が挿入口１４の両側に位置するようにハウジング１１の基座１２内に配置される。可動フック２１は他端上の基座１２内に向かい合う一側に誘導ブロック２２およびストッパー２４を有し、誘導ブロック２２とストッパー２４との間に係止溝２６を有する。誘導ブロック２２は前端部に奥向きかつ後向きに徐々に傾斜する作用面２２１を有する。可動フック２１は誘導ブロック２２が配置されない一端を軸に、誘導ブロック２２を有する一端を旋転させるため、挿入空間１６に対し前進または後退を行なうことが可能である。可動フック２１は、復元ユニット１９によって挿入空間１６に前進する状態を維持する。本実施形態において、復元ユニット１９はハウジング１１の蓋１８の両側に別々に形成され、かつ別々に可動フック２１に対し作用する弾性片である。
【００１０】
可動隔離板３１は、上下に移動可能に挿入空間１６に位置付けられ、挿入空間１６を上下の二つの空間に分割する。可動隔離板３１は両側に前向きに延伸される作用アーム３２を別々に有する。作用アーム３２は前向きかつ下向きに延伸される誘導斜面３４と作用部３６とを有し、作用部３６は可動フック２１の作動に応じ、係止溝２６に入り込むか、または静止を保持する。可動隔離板３１は、複数の中空部位３８を有する。二つの可動フック２１は可動隔離板３１の両側に位置付けられ、復元ユニット１９の作用によって可動隔離板３１の作用アーム３２に突き当たる。
【００１１】
二つの端子組４１、５１は、挿入空間１６に入り込むようにハウジング１１の基座１２に配置され、そのうちの第一端子組４１は下方に位置付けられ、複数の第一端子４２を有し、第二端子組５１は上方に位置付けられ、複数の第二端子５２を有する。第二端子５２は端子台５４内に嵌め込まれ、端子台５４を介してハウジング１１の基座１２に配置される。第二端子５２の一部分の端子は可動隔離板３１の中空部位３８に部分的に位置付けられ、かつ可動隔離板３１の上方に部分的に突出する。かつ一部分の第二端子５２は可動隔離板３１に嵌め込まれる。
【００１２】
本実施形態は、さらに二つの補助用スプリング６１を有する。補助用スプリング６１は可動隔離板３１の下方に位置するようにハウジング１１内の両側に配置され、復元弾力によって可動隔離板３１を上方位置に支持する。
【００１３】
本実施形態において、可動隔離板３１の上方空間は、例えば、ＳＤカード、またはＭＭＣ（登録商標）カード、またはＭＭＣ  Ｐｌｕｓ（登録商標）カードの挿入に用いることが可能である。可動隔離板３１の下方空間は、例えば、ＭＳ−Ｄｕｏ（登録商標）カードまたはＭＳ  ＰＲＯ−ＨＧ  Ｄｕｏ（登録商標）カードの挿入に用いることが可能である。
【００１４】
以下、本発明の操作状態について説明を進める。
メモリーカードが挿入される前、可動隔離板３１は、第二端子組の弾力によって上方位置に維持され、二つの補助用スプリング６１は可動隔離板３１を支持し、可動隔離板３１を上方位置に維持する。可動隔離板３１が上方に位置する状態は図４に示すとおりである。
【００１５】
図３から図８は、ＳＤカードを挿入する過程を示す模式図である。
図２に示すように、ＳＤカード９１を挿入口１４から挿入する場合、挿入口１４の下方位置からＳＤカード９１を挿入すれば、ＳＤカード９１は挿入口１４の形によって遮断され、入り込むことができないため、挿入口１４の上方位置から挿入しなければならない。図３および図４に示すように、挿入過程において、ＳＤカード９１の両側は二つの可動フック２１の作用面２２１に作用し、二つの可動フック２１の両側を押し出し、可動フック２１上のストッパー２４と可動隔離板３１の作用部３６を逸脱させる。
【００１６】
続いて図５及び図６に示すように、ＳＤカード９１を持続的に挿入すれば、両側の底部は可動隔離板３１の両側の作用アーム３２の誘導斜面３４に作用する。このときストッパー２４（図４に示す）は作用部３６と分離するため、可動隔離板３１は制限されず下に移動することが可能である。続いて図７及び図８に示すように、ＳＤカード９１の挿入が完了した後、第二端子組５１に接続すれば使用できる。ＳＤカード９１を抜き出す場合、上述した過程に逆らってＳＤカード９１を可動隔離板３１から逸脱させ、可動隔離板３１を上昇させ、続いてＳＤカード９１を持続的に後退させ、二つの可動フック２１から逸脱させる。このとき復元ユニット１９は二つの可動フック２１に作用し、二つの可動フック２１を挿入空間１６に前進させ、可動隔離板３１に突き当たらせる。可動隔離板３１の二つの作用部３６は二つの可動フック２１の係止溝２６内に嵌め込まれる。
【００１７】
図９に示すように、ＳＤカード９１が完全に挿入された後、下方からＭＳ−Ｄｕｏカード９２など別のメモリーカードを挿入しようとした場合、可動隔離板３１はメモリーカードの挿入を阻止する。
【００１８】
以下、可動隔離板３１の下方からメモリーカード（例えば、ＭＳ−Ｄｕｏカード）を挿入する過程について説明を進める。
図１０および図１１に示すように、ＭＳ−Ｄｕｏカード９２を挿入する場合、可動移動板３１の下方からＭＳ−Ｄｕｏカード９２を挿入、固定して第一端子組４１に接続すれば使用できる。続いて図１２に示すように、ＭＳ−Ｄｕｏカード９２を挿入、固定した後、ＭＳ−Ｄｕｏカード９２は下方空間を占めてしまうため、可動移動板３１は下に移動することができなくなる。このとき可動隔離板の上方からＳＤカード９１を挿入しようとした場合、可動隔離板３１は下に移動できず、ＳＤカード９１の挿入を阻止する。従って、本形態は可動隔離板３１によってカードが１枚だけ挿入できる機能を達成することができる。
【００１９】
図１３および図１４に示すように、ＭＳ−Ｄｕｏカード９２を可動隔離板３１の上方から挿入しようとした場合、可動隔離板３１の両側の作用部３６（図１に示す）は可動フック２１のストッパー２４によって遮断され、下に移動できないため、可動隔離板３１はＭＳ−Ｄｕｏカード９２の挿入を阻止する。図１５に示すように、ＭＳ−Ｄｕｏカード９２を可動移動板３１の上方の一側（例えば右側）から挿入しようとした場合、ＭＳ−Ｄｕｏカード９２は一つの可動フック２１に作用し、可動移動板３１の一側の遮断状態を解除し、可動移動板３１を下へ移動させることが可能であるが、可動移動板３１の他側の作用部３６は可動フック２１によって遮断され、下に移動できないため、可動移動板３１は下に移動できず、遮断機能を維持する。従って、ＭＳ−Ｄｕｏカード９２は可動隔離板３１の上方空間に入り込むことができない。
【００２０】
（第２実施形態）
図１６に示すように、本発明の第２実施形態によるマルチメモリーカードコネクタ７０は、ほぼ第１実施形態と同じである。第１実施形態との違いは次の通りである。
可動フック７５は、一つしかない。かつハウジング７１内の左側に装着され、可動隔離板７８の左側の作用部（図中未表示）のみに作用する。
【００２１】
第２実施形態の作動状態は第１実施形態と同じであるため、説明を省略する。
第２実施形態は、第１実施形態の大部分の効果を達成可能であるが、図１５に示すように一側のみが可動フックに作用することによって誤挿入を防止する効果は達成できない。
【００２２】
上述したとおり、本発明は、可動移動板３１を上下に移動させ、挿入空間１６を制限することによって、カードが１枚だけ挿入できる効果を達成する。かつ本発明は、二つの可動フック２１を介して上下に移動する可動移動板３１をロックまたは解除することによって誤挿入を防止する効果を奏する。つまり、本発明は、可動隔離板の運動状態と可動フックとを適切に組み合わせることによってカードが１枚だけ挿入できる機能と誤挿入を防止可能な機能とを兼ね備えることが可能であるため、技術手段が先行技術とは異なる。
【符号の説明】
【００２３】
１０：マルチメモリーカードコネクタ、１１：ハウジング、１２：基座、１４：挿入口、１６：挿入空間、１８：蓋、１９：復元ユニット、２１：可動フック、２２：誘導ブロック、２２１：作用面、２４：ストッパー、２６：係止溝、３１：可動隔離板、３２：作用アーム、３４：誘導斜面、３６：作用部、３８：中空部位、４１：第一端子組、４２：第一端子、５１：第二端子組、５２：第二端子、５４：端子台、６１：補助用スプリング、７０：マルチメモリーカードコネクタ、７１：ハウジング、７５：可動フック、７８：可動隔離板、９１：ＳＤメモリーカード、９２：ＭＳ−Ｄｕｏメモリーカード
【図１】
2010218762.tif 000003
【図２】
2010218762.tif 000004
【図３】
2010218762.tif 000005
【図４】
2010218762.tif 000006
【図５】
2010218762.tif 000007
【図６】
2010218762.tif 000008
【図７】
2010218762.tif 000009
【図８】
2010218762.tif 000010
【図９】
2010218762.tif 000011
【図１０】
2010218762.tif 000012
【図１１】
2010218762.tif 000013
【図１２】
2010218762.tif 000014
【図１３】
2010218762.tif 000015
【図１４】
2010218762.tif 000016
【図１５】
2010218762.tif 000017
【図１６】
2010218762.tif 000018